(57)【特許請求の範囲】
【請求項１】
所定角度で傾斜した接合端面を介して受口側部材と差口側部材とが回動自在に組み合わされたリブなし本管自在継手、
前記リブなし本管自在継手の受口側部材に接合されたリブ付受口管、
前記リブなし本管自在継手の差口側部材に接合されたリブ付差口管、
前記リブ付受口管の下流側に装着されて前記受口側部材を覆う第１リブ付管、および
前記リブ付差口管の上流側に装着されて前記差口側部材を覆う第２リブ付管を備える、リブ付本管自在継手。
【請求項２】
前記受口側部材内面に挿入されるリブなし短管をさらに備え、
前記リブ付受口管は前記リブなし短管の上流側に接合された、請求項１記載のリブ付本管自在継手。
【発明の詳細な説明】
【０００１】
【産業上の利用分野】
この発明はリブ付本管自在継手に関し、特にたとえば下水道配管等に用いられてリブ付管どうしを所定の角度を有して接続する、リブ付本管自在継手に関する。
【０００２】
【従来の技術】
従来、所定の角度で傾斜した接合端面を介して受口側部材と差口側部材とが回動自在に組み合わされたリブなしの本管自在継手はよく知られている。このリブなしの本管自在継手は、たとえばリブのないプレーン管どうしを接続するためのものであり、したがって、受口側部材の受口および差口側部材の差口はそれぞれプレーン管の差口および受口と接続可能に形成されており、リブ付管とは接続不可能である。
【０００３】
そこで、リブ付管と接続可能にされたリブ付本管自在継手が公表されている（たとえば意匠登録第１１０４５６０号公報等）。このリブ付本管自在継手１では、図９に示すように、受口側部材２の受口３にリブ付受口管４が接合され、差口側部材５の差口６にリブ付差口管７が接合される。
【０００４】
【発明が解決しようとする課題】
しかし、従来のリブ付本管自在継手１では、接合部分８等の受口側部材２および差口側部材５の外面にリブが形成されていないため、砕石による埋め戻しができず、リブなし部分は砂等で埋め戻す必要があった。このように、埋め戻し材をリブ付部分とリブなし部分とで区別する必要があり、施工性が悪かった。
【０００５】
また、射出成形により外面全体にリブが一体形成されたリブ付本管自在継手も一定の呼び径（φ２００）までは製品化されているが、射出成形用金型の開発には莫大な費用がかかるため、さまざまなサイズで品揃えしようとすると、コスト高となってしまう。
【０００６】
それゆえに、この発明の主たる目的は、リブ付管と接続でき、かつ、砕石埋め戻しできる、リブ付本管自在継手を提供することである。
【０００７】
この発明の他の目的は、安価に製造できる、リブ付本管自在継手を提供することである。
【０００８】
【課題を解決するための手段】
この発明は、所定角度で傾斜した接合端面を介して受口側部材と差口側部材とが回動自在に組み合わされたリブなし本管自在継手、リブなし本管自在継手の受口側部材に接合されたリブ付受口管、リブなし本管自在継手の差口側部材に接合されたリブ付差口管、リブ付受口管の下流側に装着されて受口側部材を覆う第１リブ付管、およびリブ付差口管の上流側に装着されて差口側部材を覆う第２リブ付管を備える、リブ付本管自在継手である。
【０００９】
また、リブ付受口管は受口側部材内面に挿入されたリブなし短管の上流側に接合されてもよい。
【００１０】
【作用】
受口側部材にはリブ付受口管が接合され、差口側部材にはリブ付差口管が接合される。たとえば、リブ付受口管にはリブ付管の差口を受容する拡径受口が形成され、リブ付差口管にはリブ付管の拡径受口に差し込まれる差口が形成されている。したがって、リブ付管と接続することができる。そして、リブのない受口側部材および差口側部材は、第１リブ付管および第２リブ付管によってそれぞれ覆われており、リブなし部分は外部に露出しない。したがって、砕石により埋め戻しできる。また、リブ付本管自在継手を構成するリブなし本管自在継手，リブ付受口管，リブ付差口管，第１リブ付管および第２リブ付管等には、既存のリブなし本管自在継手およびリブ付管等に簡単な二次加工を施したものを用いることができる。
【００１１】
【発明の効果】
この発明によれば、リブ付管と接続することができ、しかも、第１リブ付管および第２リブ付管によって、リブのない受口側部材および差口側部材が覆われるので、すべて砕石により埋め戻しをすることができる。したがって、埋め戻し材をリブ付部分とリブなし部分とで区別する必要がなく、施工性を向上できる。
【００１２】
また、既存のリブなし本管自在継手およびリブ付管等を用いて製造できるので、新たな射出成形用金型の開発は不要であり、安価に製造できる。
【００１３】
この発明の上述の目的，その他の目的，特徴および利点は、図面を参照して行う以下の実施例の詳細な説明から一層明らかとなろう。
【００１４】
【実施例】
図１に示すこの実施例のリブ付本管自在継手１０は、たとえば、下水道配管等に用いられて、図５に示すように２つのリブ付管５６および７０を所定の角度を有して接続するためのものであり、リブなし本管自在継手１２，リブ付受口管１４，リブ付差口管１６，第１リブ付管１８および第２リブ付管２０を含む。
【００１５】
リブなし本管自在継手１２は、受口側部材２２および差口側部材２４を含む。受口側部材２２と差口側部材２４とは、各々の軸線に対して所定角度θで傾斜する接合端面Ｓで突き合わせられ、接合端面Ｓ内で回動自在に組み合わされる。そして、両者が互いに回動されることによって接続角度が０から２θの範囲で変更される。図１では、接続角度０度の場合が示されている。
【００１６】
なお、原則として、受口側部材２２は上流側（流入側）に配置され、差口側部材２４は下流側（流出側）に配置されるので、受口側部材２２の配置される一方側を上流側、差口側部材２４の配置される他方側を下流側とも言うものとする。
【００１７】
受口側部材２２は、たとえば塩化ビニル等の合成樹脂からなり、略筒状に形成される。受口側部材２２は、リブ付管５６および７０と同じ内径を有し、その一方側（上流側）端部には拡径受口２６が形成され、他方側（下流側）端部には差口２８が形成される。拡径受口２６は、たとえばゴム輪受口の先端部を切除することにより形成されたものである。差口２８の端部外面には、端面Ｓ側からゴム輪装着溝３０，係止フランジ３２およびがたつき防止フランジ３４が形成される。ゴム輪装着溝３０には受口側部材２２と差口側部材２４との接合部をシールするゴム輪３６が装着される。また、受口側部材２２の外面の所定位置（この実施例では拡径受口２６の外面）には、２つの取っ手３８が周方向に１８０度間隔を隔てて設けられる。取っ手３８は、接続角度を変更する際に把持されるまたは治具が取り付けられる等して用いられる。
【００１８】
差口側部材２４は、たとえば塩化ビニル等の合成樹脂からなり、略筒状に形成される。差口側部材２４は、受口側部材２２と同じ内径を有し、その一方側端部には受口４０が形成され、他方側端部には差口４２が形成される。受口４０の内面には、ゴム輪３６が当接される止水面４４が形成され、受口４０の端部内面には、係止フランジ３２の外周縁に係合される係止溝４６が形成される。また、差口側部材２４の外面の所定位置（この実施例では受口４０の基端部）には、２つの取っ手４８が周方向に１８０度間隔を隔てて設けられる。この取っ手４８も取っ手３８と同様に接続角度の変更の際に用いられ得る。
【００１９】
このリブなし本管自在継手１２では、受口側部材２２の差口２８が差口側部材２４の受口４０に差し込まれ、差口２８に形成された係止フランジ３２と受口４０に形成された係止溝４６とが嵌合される。そして、拡径受口２６および差口４２には、リブ付管と接続可能なようにそれぞれリブ付受口管１４およびリブ付差口管１６が設けられる。
【００２０】
リブ付受口管１４は、たとえば塩化ビニル等の合成樹脂からなり、リブ付受口管１４の外面には、軸方向に間隔を隔てて複数の周方向リブ５０が形成されている。リブ付受口管１４は、受口側部材２２とほぼ同じ内径を有する直管部５２を含み、直管部５２の上流側端部には、使用時にリブ付管５６（図５）の差口５８を受容する拡径受口５４が形成される。また、リブ付受口管１４は、この実施例ではリブなし短管６０を介して受口側部材２２に接続されるため、直管部５２の下流側端部は、リブなし短管６０の外径とほぼ同じ内径に拡径されて、リブなし短管６０の一方端部を受容する受口５２ａが形成される。
【００２１】
リブなし短管６０は、たとえば塩化ビニル等の合成樹脂からなり、受口側部材２２および直管部５２の内径とほぼ同じ内径を有する。リブなし短管６０の下流側端部は、受口側部材２２の拡径受口２６の内面に適合するように、拡径受口２６の内径とほぼ同じ外径に拡径される。そして、リブなし短管６０の上流側端部は、リブ付受口管１４の下流側端部の受口５２ａ内に差し込まれて接着接合され、リブなし短管６０の下流側端部は、受口側部材２２の拡径受口２６内に差し込まれて接着接合される。このようなリブなし短管６０を介在させることによって、受口側部材２２とリブ付受口管１４とが内面ほぼ平滑に接続される。
【００２２】
リブ付差口管１６は、たとえば塩化ビニル等の合成樹脂からなり、リブ付差口管１６の外面には、軸方向に間隔を隔てて複数の周方向リブ６２が形成されている。リブ付差口管１６は、差口側部材２４とほぼ同じ内径を有する直管部６４を含み、直管部６４の上流側端部は、差口側部材２４の外径とほぼ同じ内径に拡径されて、差口側部材２４の差口４２を受容する受口６４ａが形成される。そして、差口側部材２４の差口４２がリブ付差口管１６の受口６４ａに差し込まれて接着接合される。また、直管部６４の下流側端部は差口６６とされ、差口６６の外面の所定のリブ６２間には、ゴム輪６８が装着される。リブ付差口管１６の差口６６は、使用時にはリブ付管７０（図５）の一方端部に形成された拡径受口７２に差し込まれて接続される。
【００２３】
第１リブ付管１８は、第２リブ付管２０と共にリブなし本管自在継手１２を保護するためのものである。第１リブ付管１８は、たとえば塩化ビニル等の合成樹脂からなり、第１リブ付管１８の外面には、軸方向に間隔を隔てて複数の周方向リブ７４が形成されている。第１リブ付管１８の内径は、リブ付受口管１４の下流側端部のリブ外径よりもやや大きく設定される。第１リブ付管１８は、リブ付受口管１４の下流側端部から受口側部材２２の差口２８にわたって装着され、この第１リブ付管１８によって、受口側部材２２のリブのない外面が覆われる。この実施例では、第１リブ付管１８の下流側の端面は、接合端面Ｓとほぼ同じ角度に傾斜して形成され、がたつき防止フランジ３４の側面に近接される。第１リブ付管１８には、受口側部材２２の２つの取っ手３８に対応して２つの貫通孔７６が形成されており、この貫通孔７６を通して取っ手３８が外部に突き出される。また、下流側端部のリブ７４の一部は、角度変更時に第２リブ付管２０の内面に当たらないように除去されている。
【００２４】
第２リブ付管２０は、第１リブ付管１８と共にリブなし本管自在継手１２を保護するためのものである。第２リブ付管２０は、塩化ビニル等の合成樹脂からなり、第２リブ付管２０の外面には、軸方向に間隔を隔てて複数の周方向リブ７８が形成されている。第２リブ付管２０は、差口側部材２４の上流側端部のリブ外径よりもやや大きい内径を有する直管部８０を含み、直管部８０の上流側端部には拡径受口８２が形成される。また、直管部８０の内径は第１リブ付管１８の内径とほぼ同じに設定されており、拡径受口８２の内径は、第１リブ付管１８を受容し得るように、第１リブ付管１８のリブ外径よりもやや大きく設定される。第２リブ付管２０は、リブ付差口管１６の上流側端部から少なくとも差口側部材２４の受口４０にわたって装着され、この第２リブ付管２０によって差口側部材２４のリブのない外面が覆われる。この実施例では、第１リブ付管１８の下流側端部も第２リブ付管２０の拡径受口８２内に差し込まれて、この拡径受口８２によって覆われている。また、第２リブ付管２０には、差口側部材２４の２つの取っ手４８に対応して２つの貫通孔８４が形成されており、この貫通孔８４を通して取っ手４８が外部に突き出される。
【００２５】
このリブ付本管自在継手１０を製造する際には、まず、リブなし本管自在継手１２，リブなし短管６０，リブ付受口管１４，リブ付差口管１６，第１リブ付管１８および第２リブ付管２０等をそれぞれ準備する。
【００２６】
たとえば、リブなし本管自在継手１２を形成する際には、既製品のリブなし本管自在継手を準備する。既製のリブなし本管自在継手の受口側部材２２の一方端部は、図２に示すように、一般的にゴム輪受口８６として形成されているので、ゴム輪受容部８６ａから先端部分を切断除去することによって拡径受口２６を形成する。
【００２７】
リブなし短管６０を形成する際には、リブなし本管自在継手１２と同じ内径を有する適宜な長さのプレーンな短管を準備し、たとえばブロー成形等によって他方端部の外径を拡径受口２６の内径とほぼ同じに拡径させる。
【００２８】
リブ付受口管１４を形成する際には、リブなし本管自在継手１２と同じ内径を有するかつ一端に拡径受口５４が形成された適宜な長さのリブ付管を準備する。そして、他方端部の差口を二次加工することによって、すなわち、たとえば他方端部を加熱軟化させて適宜な金型を差し込み、冷却養生することによって、他方端部内径をリブなし短管６０の外径とほぼ同じに拡径させ、受口５２ａを形成する。
【００２９】
リブ付差口管１６を形成する際には、リブなし本管自在継手１２と同じ内径を有するかつ両端が差口形状とされた適宜な長さのリブ付管を準備する。そして、一方端部の差口を、リブ付受口管１４の受口５２ａの場合と同様にして二次加工することによって、一方端部内径を差口側部材２４の差口４２の外径とほぼ同じに拡径させ、受口６４ａを形成する。また、他端の差口６６の所定のリブ６２間にゴム輪６８を装着する。
【００３０】
第１リブ付管１８を形成する際には、リブ付受口管１４およびリブ付差口管１６の素材となったリブ付管のリブ外径よりも大きい内径を有するかつ両端が差口形状とされたリブ付管を準備する。このようなリブ付管としては、たとえばリブ付受口管１４およびリブ付差口管１６よりも一回り大きいサイズ（呼び径）のリブ付管が適用され得る。そして、他方端面を斜めに切断して所定角度に傾斜させ、他方端部側のリブ７４の一部を切除する。また、受口側部材２２の取っ手３８に対応する位置に貫通孔７６を形成する。
【００３１】
第２リブ付管２０を形成する際には、第１リブ付管１８の素材となったリブ付管と同じサイズを有するかつ一端に拡径受口８２が形成されたリブ付管を準備し、他端側を切断除去して適宜な長さにする。また、差口側部材２４の取っ手４８に対応する位置に貫通孔８４を形成する。
【００３２】
次に、リブ付受口管１４の他方端部受口５２ａにリブなし短管６０の一方端部を差し込んで接着接合するとともに、リブなし本管自在継手１２の受口側部材２２の拡径受口２６にリブなし短管６０の他方端部を差し込んで接着接合する。他方、リブなし本管自在継手１２の差口側部材２４の差口４２をリブ付差口管１６の一方端部受口６４ａに差し込んで接着接合する。
【００３３】
続いて、第１リブ付管１８を受口側部材２２およびリブ付受口管１４の外面に装着する。第１リブ付管１８を装着する際には、図３の破線で示すように、予め管壁の一部を軸方向に切断しておき、この切断端から押し広げて受口側部材２２の取っ手３８を貫通孔７６に挿通させて、第１リブ付管１８を所定位置に被せる。そして、切断端をたとえば塩ビ溶接等によって一体化する。このようにして、第１リブ付管１８は、リブ付受口管１４および受口側部材２２に固着されず、貫通孔７６に挿通された取っ手３８によって保持される。
【００３４】
そして、第２リブ付管２０を差口側部材２４およびリブ付差口管１６の外面に装着する。第２リブ付管２０を装着する際には、第１リブ付管１８の場合と同様にして、予め管壁を軸方向に切断しておき、この切断端から押し広げて差口側部材２４の取っ手４８を貫通孔８４に挿通させて、第２リブ付管２０を所定位置に被せる。そして、切断端をたとえば塩ビ溶接によって一体化する。第２リブ付管２０も、第１リブ付管１８と同様に、リブ付差口管１６および差口側部材２４に固着されず、貫通孔８４に挿通された取っ手４８によって保持される。
【００３５】
なお、このリブ付本管自在継手１０の製造方法は上述のものに限定されず適宜変更され得る。
【００３６】
このリブ付本管自在継手１０において接続角度を変更する際には、たとえば受口側部材２２の取っ手３８を用いて、受口側部材２２を差口側部材２４に対して回動させる。すると、第１リブ付管１８は受口側部材２２と共に第２リブ付管２０の拡径受口８２内で回動され、接続角度は０から２θ度の範囲で変更することができる。このとき、リブなし部分は常に第１リブ付管１８および第２リブ付管２０によって覆われており、外部に露出することはない。たとえば図４には、接続角度２θに変更された場合が示されている。なお、差口側部材２４の取っ手４８を用いて差口側部材２４を受口側部材２２に対して回動させてもよい。
【００３７】
リブ付本管自在継手１０を用いて管路を敷設する際には、このリブ付本管自在継手１０を所望の接続角度に設定しておき、たとえば図５に示すように、下流側のリブ付管７０の拡径受口７２にリブ付差口管１６の差口６６を差し込んで接続する。一方、上流側のリブ付管５６のゴム輪８８が装着された差口５８を、リブ付受口管１４の拡径受口５４に差し込んで接続する。なお、図５では、接続角度０度の場合が示されている。
【００３８】
この実施例によれば、受口側部材２２にリブ付受口管１４が設けられ、かつ、差口側部材２４にリブ付差口管１６が設けられているので、リブ付管５６および７０と接続することができる。しかも、第１リブ付管１８および第２リブ付管２０によって、リブのないリブなし本管自在継手１２（受口側部材２２および差口側部材２４）が覆われるので、すべて砕石によって埋め戻しをすることができる。したがって、埋め戻し材をリブ付部分とリブなし部分とで区別する必要がなく、施工性を向上できる。
【００３９】
また、既存のリブなし本管自在継手やリブ付管等を用いて、これらに簡単な二次加工を施すことによって製造できるので、新たな射出成形用金型の開発は不要であり、安価に製造できる。たとえば、内径がφ２５０のリブ付本管自在継手１０を製造する場合には、リブなし本管自在継手１２としては呼び径φ２５０の既製のリブなし本管自在継手を適用し、リブ付受口管１４およびリブ付差口管１６としては呼び径φ２５０の既製のリブ付管を適用し、リブなし短管６０としては呼び径φ２５０の既製のプレーンな管を適用し、第１リブ付管１８および第２リブ付管２０としては一回り大きい呼び径φ３００の既製のリブ付管を適用すればよい。
【００４０】
なお、上述の実施例では、リブ付管５６および７０と接続するようにしているが、接続される管路構造物は適宜変更され得るのは言うまでもなく、たとえばリブ付の管継手およびリブ付の接続口を有するマンホール等であってもよい。
【００４１】
また、リブなし本管自在継手１２は、上述の各実施例（図１実施例等）で示したような形状および嵌合構造等のものに限定されず、任意の形状等のものが適用され得るのは言うまでもない。たとえば、上述の各実施例では、受口側部材２２のゴム輪受口８６（図２）のゴム輪受容部８６ａから先端部分を切断除去することによって拡径受口２６を形成するようにしているが、切断除去せずにゴム輪受口８６をそのまま用いるようにしてもよい。また、受口側部材２２とリブ付受口管１４とをリブなし短管６０を介在させて接合するようにしているが、受口側部材２２の一方端部が差口とされている場合等には、リブ付受口管１４の他方端部の内径を受口側部材２２の外径とほぼ同じに拡径させて、リブなし短管６０を介在させずに直接に接着接合するようにしてもよい。
【００４２】
また、上述の各実施例では、第２リブ付管２０としてその一方端部に拡径受口８２が形成されたものを適用し、この拡径受口８２で第１リブ付管１８の他方端部（差口）を覆うようにしているが、これら第１リブ付管１８と第２リブ付管２０の被覆関係は逆であってもよい。つまり、たとえば図６に示すように、第１リブ付管１８としてその他方端部に拡径受口８２が形成されたものを適用するとともに、この拡径受口８２で第２リブ付管２０の一方端部（差口）を覆うようにしてもよい。具体的には、図６実施例では、第２リブ付管２０の一方端面は傾斜して形成され、この第２リブ付管２０によって差口側部材２４の受口４０の一部まで覆われる。他方、第１リブ付管１８の拡径受口８２によって差口側部材２４の受口４０の基端部付近まで覆われる。また、拡径受口８２の先端面はたとえば接合端面Ｓとほぼ同じ角度で斜めに形成され、回動時に差口側部材２４の取っ手４８と当たらないようにされる。
【００４３】
また、上述の各実施例では、第１リブ付管１８および第２リブ付管２０のうち一方のリブ付管に拡径受口８２が形成されたものを適用して、拡径受口８２によって他方のリブ付管の端部（差口）を覆うようにしているが、一方のリブ付管として、他方のリブ付管のリブ外径よりも大きい内径を有するものを適用することによって、他方のリブ付管の端部を覆うようにしてもよい。たとえば図７には、図１実施例の拡径受口８２を有する第２リブ付管２０に代えて、第２リブ付管２０として、第１リブ付管１８のリブ外径よりもやや大きい内径を有するかつ両端が差口形状とされたリブ付管が適用された場合の一例が示されている。この第２リブ付管２０としては、たとえば第１リブ付管１８より一回り大きいサイズ（呼び径）のリブ付管が用いられ得る。
【００４４】
また、上述の各実施例では、第１リブ付管１８および第２リブ付管２０のうち一方のリブ付管で他方のリブ付管の端部（差口）を覆うようにしているが、たとえば図８に示すように、両者は傾斜された端面で突き合わせられるようにされてもよい。具体的には、図８実施例では、第１リブ付管１８および第２リブ付管２０には、それぞれ拡径受口９０および９２を有するリブ付管が適用され、拡径受口９０および９２の端面は、たとえばリブなし本管自在継手１２の接合端面Ｓとほぼ同じ角度に傾斜して形成されるとともに、互いに突き合わせられる。この場合には、接続角度変更時にも、第１リブ付管１８と第２リブ付管２０とは傾斜端面で互いに突き合わせられたままで回動される。
【００４５】
また、上述の各実施例では、リブ付受口管１４の一方端部には拡径受口５４が形成されているが、場合によってはリブ付受口管１４の一方端部は差口とされてもよい。また、リブ付差口管１６の他方端部は差口６６とされているが、場合によってはリブ付差口管１６の他方端部には拡径受口が形成されてもよい。
【図面の簡単な説明】
【図１】この発明の一実施例を示す図解図である。
【図２】図１実施例のリブなし本管自在継手の形成方法を示す図解図である。
【図３】図１実施例の第１リブ付管の装着前の状態を示す図解図である。
【図４】図１実施例の接続角度を変更した状態を示す図解図である。
【図５】図１実施例の使用状態を示す図解図である。
【図６】この発明の他の実施例を示す図解図である。
【図７】この発明の他の実施例を示す図解図である。
【図８】この発明の他の実施例を示す図解図である。
【図９】従来技術の一例を示す図解図である。
【符号の説明】
１０  …リブ付本管自在継手
１２  …リブなし本管自在継手
１４  …リブ付受口管
１６  …リブ付差口管
１８  …第１リブ付管
２０  …第２リブ付管
２２  …受口側部材
２４  …差口側部材
【図１】
0004001470.tif 000002
【図２】
0004001470.tif 000003
【図３】
0004001470.tif 000004
【図４】
0004001470.tif 000005
【図５】
0004001470.tif 000006
【図６】
0004001470.tif 000007
【図７】
0004001470.tif 000008
【図８】
0004001470.tif 000009
【図９】
0004001470.tif 000010